(57)【要約】      （修正有）【課題】ノズルをカートリッジ容器に装着する作業の効率を向上させるカートリッジ用ノズルを提供する。【解決手段】カートリッジ用ノズル１は、中空のノズルボディ２を有し、ノズルボディ２は、底部開口３と、底部開口３付近のノズルボディ内壁に形成されたネジ５と、を備え、ネジ５のネジ山の数は１より大きく３以下である。より好ましくは、ネジ山の数は１．５以上で２．５以下である。【選択図】図１
0003212902.tif 000002
【実用新案登録請求の範囲】
【請求項１】
中空のノズルボディを有するカートリッジ用ノズルであって、
前記ノズルボディは、
底部開口と、
前記底部開口付近のノズルボディ内壁に形成されたネジと、
を備え、
前記ネジのネジ山の数は１より大きく３以下である、カートリッジ用ノズル。
【請求項２】
前記ネジ山の数は１．５以上で２．５以下である、請求項１に記載のカートリッジ用ノズル。
【請求項３】
前記ノズルボディは、先細の先端部を有し、該先端部の内部まで中空である、請求項１又は２に記載のカートリッジ用ノズル。
【請求項４】
前記ノズルボディは、上部外側壁において周方向に延在する１つ以上のリブを有する、請求項１乃至３のいずれか１項に記載のカートリッジ用ノズル。
【請求項５】
前記ノズルボディは、下部外側壁において軸方向に延びる複数のリブを有する、請求項１乃至４のいずれか１項に記載のカートリッジ用ノズル。
【請求項６】
前記ノズルボディは、前記底部開口の周囲に延在するフランジを有する、請求項１乃至５のいずれか１項に記載のカートリッジ用ノズル。
【請求項７】
前記フランジの外側壁には、径方向に延びる複数のリブが形成されている、請求項６に記載のカートリッジ用ノズル。
【考案の詳細な説明】
【技術分野】
【０００１】
本考案は、シーリング材や接着剤等を充填したカートリッジ容器に装着されるカートリッジ用ノズルに関する。
【背景技術】
【０００２】
従来、建築用に用いられるシーリング材や接着剤若しくはそれらを兼ねる材料は、カートリッジ容器に予め充填されたものが使用されていた。建築現場では、大量のシーリング材や接着剤が必要となるため、多数のカートリッジ容器が用意されることになる。建築現場での作業時には、カートリッジ容器の先端をノズルで換装し、カートリッジ容器を手に持ちノズルからシーリング材や接着剤を吐出させながら目的部位に順次塗布する作業を行っていた。１つのカートリッジ容器内の材料を使い切ると、新たなカートリッジ容器にノズルを換装することで、大量のシーリング材や接着剤が要求される状況においても作業の継続が可能となる。
【０００３】
カートリッジ容器の先端部には、ネジが形成されており、ノズルの底部開口付近の内壁にも、容器側のネジと螺合するためのネジが形成されている。ノズルをカートリッジ容器に装着する際には、ノズルの底部開口内にカートリッジ容器の先端部を挿入し、ノズルを回転させることによりカートリッジ容器のネジにノズルのネジを螺合させ、ノズルを最後までねじ込むことによって当該ノズルをカートリッジ容器に動かないように固定することが可能となる。
【０００４】
図５には、従来のカートリッジ用ノズル１５を底部から見た斜視図が示されている。図５に示されるように、ノズルの底部開口１６付近の内壁には、ネジが切られており、このネジは、４つのネジ山２０ａ、２０ｂ、２０ｃ、２０ｄを有している。この場合、カートリッジ容器の先端ネジにノズル１５を完全にねじ込むためには、ノズル１５を少なくとも２回転させる必要がある。
【０００５】
しかし、上述したように多数のカートリッジ容器を使用する現場では、新しいカートリッジにノズルを装着させる作業が数多く必要であり、当該作業においてノズルを２回転以上させる時間及び労力を費やすことは、作業時間全体の効率化を妨げることになる。
【考案の概要】
【考案が解決しようとする課題】
【０００６】
本考案は、上記事実に鑑みなされたものであり、ノズルをカートリッジ容器に装着する作業の効率を向上させることをその目的とする。
【課題を解決するための手段】
【０００７】
上記課題を解決するため、本考案は、中空のノズルボディを有するカートリッジ用ノズルであって、前記ノズルボディは、底部開口と、前記底部開口付近のノズルボディ内壁に形成されたネジと、を備え、前記ネジのネジ山の数は１より大きく３以下であるように構成したものである。
【０００８】
より好ましくは、前記ネジ山の数は１．５以上で２．５以下である。
前記ノズルボディは、先細の先端部を有し、該先端部の内部まで中空である。前記ノズルボディは、上部外側壁において周方向に延在する１つ以上のリブを有していてもよい。また、前記ノズルボディは、下部外側壁において軸方向に延びる複数のリブを有していてもよい。さらに、前記ノズルボディは、前記底部開口の周囲に延在するフランジを有していてもよく、この場合、好ましくは、前記フランジの外側壁には、径方向に延びる複数のリブが形成されている。
【図面の簡単な説明】
【０００９】
【図１】図１は、本考案の一実施形態に係るカートリッジ用ノズルを底部側から見たときの斜視図である。
【図２】図２は、図１のカートリッジ用ノズルを頂部側から見たときの斜視図である。
【図３】図３は、本考案の一実施形態に係るカートリッジ用ノズルが装着されるカートリッジ容器の正面図である。
【図４】図４は、本考案の一実施形態に係るカートリッジ用ノズルを図３のカートリッジ容器に装着した状態の正面図である。
【図５】図５は、従来のカートリッジ用ノズルを底部側から見たときの斜視図である。
【考案を実施するための形態】
【００１０】
以下、図面を参照して本考案の一実施形態を説明する。
図１及び図２には、本考案の一実施形態に係るノズル１が示されている。
ノズル１は、略円錐状に形成された、中空のノズルボディ２を有する。ノズルボディ２は、底部開口３と、底部開口３付近のノズルボディ内壁に形成されたネジ５と、底部開口３の周囲に延在するフランジ４とを備えている。ネジ５は一条ネジで形成することができる。
【００１１】
また、ノズルボディ２は、先細の先端部８を有し、該先端部８の内部まで中空に形成されている。先端部８は、切除可能であり、切除された断面にノズル開口（図示せず）が形成される。
【００１２】
さらに、ノズルボディ２は、ボディを補強するため、下部外側壁において軸方向に延びる複数のリブ６と、上部外側壁において周方向に延在する１つ以上のリブ７と、を有する。さらに、フランジ４の外側壁には、径方向に延びる複数のリブ９が形成されている。リブ６は、ノズルボディ２を持って回転させる際の滑り止めとしても機能する。
【００１３】
図３には、カートリッジ容器１０が示されている。カートリッジ容器１０はネジ１２が切られた先端部１１を有する。ネジ１２のネジ山の数は、従来通り４つ以上あってもよい。カートリッジ容器１０には、予めシーリング材や接着剤若しくはそれらを兼ねる材料が充填されている。当該材料としては、例えば一成分シリコン系シーリング材や一成分ポリウレタン系シーリング材等がある。
【００１４】
カートリッジ容器１０にノズル１を装着する際には、図５に示されるように、ノズル１の底部開口３内にカートリッジ容器１０の先端部１１を挿入し、ノズル１を回転させて、カートリッジ容器１０のネジ１２にノズル１のネジ５を螺合させる。ノズル１を最後までねじ込むことによって当該ノズル１をカートリッジ容器に動かないように固定することが可能となる。
【００１５】
本考案の一実施形態は、上記した従来技術のノズル１５のネジが４つのネジ山２０ａ、２０ｂ、２０ｃ、２０ｄから形成されているのに対して、一実施形態に係るノズル１のネジ５は、２つのネジ山５ａ、５ｂから形成されている点が特徴である。これによって、従来のノズル１５では、少なくとも２回転させなければカートリッジ容器に装着できなかったのに対し、本考案の一実施形態に係るノズル１では、１回転程度でカートリッジ容器に装着可能である。これによって、ノズルをカートリッジ容器に装着する作業の効率を向上させることが可能となる。
【００１６】
ノズル装着の時間をさらに短縮化するためには、ネジ山の数をさらに減少させることが考えられるが、ネジ山の数が１の場合、カートリッジ容器の先端部へのネジ込み装着が可能ではなくなる。そこで、本考案の作用効果をもたらすネジ山の数の下限としては、１より大きくすることが必要である。また、ネジ山の数の上限としては、従来技術が４であるので、３以下とするのが好ましいと考えられる。すなわち、本考案のネジ山の数は、１より大きく３以下である。
【００１７】
ここで、本考案では、ネジ山の数え方として、一条のネジが３６０度延在するときに１つのネジ山と数える方法を採用している。例えばネジが１８０度しか延在しない場合には、０．５と数え、９０度しか延在しない場合には、０．２５と数えている。一般的には、
ネジ山の数＝一条のネジの回転角度θ／３６０°
となる。従って、一条のネジが５４０°延在すれば、ネジ山の数＝１．５となる。
【００１８】
上記ネジ山の数の表現を用いると、より好ましくは、本考案のネジ山の数は１．５以上で２．５以下とすることができる。
以上が本考案の実施形態であるが、本考案は、上記例にのみ限定されず、本考案の範囲内で任意好適に変更可能である。例えばネジ５は二条ネジであってもよい。また、ノズルボディ２の形状及び構成に関しても、ネジ５をカートリッジ容器１０に装着可能であるノズルである限り、他の形状及び構成に変更可能である。
【符号の説明】
【００１９】
１    ノズル
２    ノズルボディ
３    底部開口
４    フランジ
５    ネジ
５ａ、５ｂ    ネジ山
６、７、９    リブ
８    先端部
１０    カートリッジ容器
１１    先端部
１２    ネジ
【図１】
0003212902.tif 000003
【図２】
0003212902.tif 000004
【図３】
0003212902.tif 000005
【図４】
0003212902.tif 000006
【図５】
0003212902.tif 000007